(57)【特許請求の範囲】
【請求項１】
上流部に設けられる熱風整流室と、中央部に設けられると共に、穴ぐり加工された多数本の中空木材が長さ方向を揃えて重ね置きされる乾燥室と、下流部に設けられて、ヒータ及び加湿手段が配設された蒸気発生室と、前記熱風整流室及び前記蒸気発生室を連通して、中途部に出力調整可能な熱風ファンが設けられた熱風循環路とを備えた中空木材の乾燥装置であって、
前記熱風整流室と前記乾燥室とは、第１の開度調整手段により個別又はブロック的に開度調整可能な多数個の通気孔が形成された第１の仕切り板により区画され、
また、前記乾燥室と前記蒸気発生室とは、第２の開度調整手段により個別又はブロック的に開度調整可能な多数個の通気孔が形成された第２の仕切り板により区画され、
さらに、前記各中空木材の上流側の端面位置に乾燥室仕切り部材を設け、前記乾燥室内を整流空間及び乾燥空間に区分し、しかも前記乾燥室仕切り部材には、前記整流空間から前記中空木材の中空部に熱風を送る多数個の中空部送り孔と、前記整流空間から前記乾燥空間内に前記中空部送り孔より少量の熱風を送る多数個の外周送り孔とが穿設されていることを特徴とする中空木材の乾燥装置。
【請求項２】
前記乾燥室の乾燥空間に、加湿手段が設けられていることを特徴とする請求項１に記載の中空木材の乾燥装置。
【請求項３】
前記乾燥室の乾燥空間に、給気ダクト及び排気ダクトを有する熱風強制排気手段を設けたことを特徴とする請求項１又は２に記載の中空木材の乾燥装置。
【請求項４】
前記第１、２の仕切り板に形成された多数個の通気孔が、上下左右一定ピッチで形成され、
また前記第１、２の開度調整手段が、各々近接する４個の前記通気孔の中心部に設けられる回転軸と、前記近接する４個の通気孔を同時に開閉可能な４個の開度調整孔が９０°毎に形成された回転板とを有していることを特徴とする請求項１〜３のうち何れか１項に記載の中空木材の乾燥装置。
【発明の詳細な説明】
【０００１】
【産業上の利用分野】
本発明は、乾燥室内の各中空木材の中空部に、乾燥室に収納された全部の中空木材において最適乾燥を実現可能な中空木材の乾燥装置に関する。
【０００２】
【従来の技術】
従来における中空木材の乾燥装置として、例えば特公昭４５−５６７０号公報の「銘木材の乾燥方法」の明細書中に記載されたもののように、長木材の芯部に長孔を穿設し、この長孔に熱風を多量に供給して長木材を乾燥させることにより、長木材の外部だけから乾燥した場合の課題であった長柱の芯部の乾燥が充分でないという弊害をなくして、木材全体を効率良く乾燥させる乾燥装置がある。
【０００３】
ところが、この従来技術では、単に木材の芯部の長孔に熱風を通すだけであるので、木材の内部だけを乾燥させて、木材の内部にひび割れを発生させ易く、木材の強度に大きな影響を及ぼし、例えば支柱として採用した場合には、支柱の損壊などの不測の事態を起こす虞れがあった。
【０００４】
そこで、別の従来技術として、例えば特開昭５６−６１５７７号公報の「木材の乾燥方法とその乾燥装置」に記載されたもののように、乾燥室内に収納した木材を乾燥するための熱風を室内の流路を介して循環させて、その途中で湿度や温度の調節をしながら、最適条件の乾燥状況をつくって効率よく乾燥させる乾燥装置がある。
【０００５】
このものは、前者の従来技術の課題であった乾燥のための熱風を管理する点では優れているが、ここでいう熱風管理は、あくまで木材の表面を乾燥させるだけにすぎず、どうしても木材の芯部を表面と同一の速度で略均一に乾燥させることはできなかった。これにより、木材のひび割れは回避できなかった。
【０００６】
そこで、これらの課題を解消するものとして、例えば本願出願人が前に出願して公告となった特公昭６４−４１１３号公報の「長柱材の人工乾燥機」に記載されたものが知られている。
【０００７】
この従来技術は、中空の長木材が整列状態で収納される乾燥室を、長木材の一端面位置に立設された乾燥仕切り板により区分し、しかも乾燥仕切り板に、長木材の中空部に熱風を送る中空部送り孔と、この中空部送り孔より熱風量が小さくて、長木材の外部に熱風を送る外周送り孔とを穿設したものである。
【０００８】
これにより、長木材の外周部の乾燥速度を芯部より遅らせて、両部分の乾燥速度を略同じとし、よって長木材のひび割れを防ぎ、また長木材を内、外側から乾燥することで、乾燥速度を早くする。
【０００９】
【発明が解決しようとする課題】
しかしながら、上記従来の乾燥装置は、比較的長木材の収納本数が少ない小型の乾燥室において、全部の長木材の中空部に均一かつ一定速度で熱風を供給できるものの、例えば、一度に数百本もの多量の長木材を乾燥する大型の乾燥室を備え、かつ熱風供給口が乾燥室の上部に形成された乾燥装置の場合には、乾燥室の上、下部に配置された長木材の中空部へ供給される熱風の風量や速度が一定しないという問題点があった。
【００１０】
また、同様に、長木材の外周部と芯部との乾燥速度の調整においても、小型の乾燥室を備えた乾燥装置においては、従来技術でも良好な結果が得られるものの、大型の乾燥装置を備えた乾燥装置では、乾燥室の上、下部において、中空部送り孔から長木材の中空部に流れ込む熱風と、外周送り孔から長木材の外部へ流れ込む熱風との風量比率が異なり、これにより乾燥室の上、下部に配置された長木材において、外周部と芯部との乾燥速度に差異が生じるという問題点があった。
【００１１】
【課題を解決するための手段】
そこで、本発明では、中空木材の乾燥装置の内部を、各々多数個の通気孔と第１、２の開度調整手段を有する第１、２の仕切り板により、熱風整流室、乾燥室、蒸気発生室の３部屋に区分し、しかも熱風整流室及び蒸気発生室を熱風ファン付きの熱風循環路により連結し、さらに乾燥室を多数個の中空部送り孔及び外周送り孔付きの乾燥室仕切り部材により、整流空間と乾燥空間とに２分する構成としたので、第１の仕切り板の各通気孔を第１の開度調整手段により個別又はブロック的に開度調整することにより、乾燥室の大きさにかかわらず室全体において、中空木材の中空部へ供給される熱風量及び速度を略一定にでき、また第２の仕切り板の各通気孔を第２の開度調整手段により個別又はブロック的に開度調整することにより、乾燥室の大きさにかかわらず室全体において、中空部送り孔から中空木材の中空部に流れ込む熱風と、外周送り孔から中空木材の外部へ流れ込む熱風との風量比率を略一定にでき、よって乾燥室に収納された全部の中空木材の最適乾燥の実現が可能となる。
【００１２】
【発明の実施の形態】
本発明の請求項１に記載の中空木材の乾燥装置は、上流部に設けられる熱風整流室と、中央部に設けられると共に、穴ぐり加工された多数本の中空木材が長さ方向を揃えて重ね置きされる乾燥室と、下流部に設けられて、ヒータ及び加湿手段が配設された蒸気発生室と、熱風整流室及び蒸気発生室を連通して、中途部に出力調整可能な熱風ファンが設けられた熱風循環路とを備えた中空木材の乾燥装置であって、熱風整流室と乾燥室とは、第１の開度調整手段により個別又はブロック的に開度調整可能な多数個の通気孔が形成された第１の仕切り板により区画され、また乾燥室と蒸気発生室とは、第２の開度調整手段により個別又はブロック的に開度調整可能な多数個の通気孔が形成された第２の仕切り板により区画され、さらに各中空木材の上流側の端面位置に乾燥室仕切り部材を設けて、乾燥室内を整流空間及び乾燥空間に区分し、しかも乾燥室仕切り部材には、整流空間から中空木材の中空部に熱風を送る多数個の中空部送り孔と、整流空間から乾燥空間内に中空部送り孔より少量の熱風を送る多数個の外周送り孔とが穿設された構成を有している。
【００１３】
この構成により、ヒータにより加熱された蒸気発生室に加湿手段から蒸気を発生させ、これを熱風ファンにより熱風にして熱風循環路から熱風整流室へ送り込み、ここで第１の開度調整手段により第１の仕切り板の各通気孔の開度調整を個別又はブロック的に行うことで、乾燥室の大きさにかかわらず室全体において、中空木材の中空部へ供給される熱風量及び速度が略一定になるという作用を有する。
【００１４】
また、熱風整流室から第１の仕切り板の通気孔を経て乾燥室の上流部にある整流空間に達した熱風は、乾燥室仕切り部材の各外周送り孔から乾燥室の中空木材が収納された乾燥空間に流れ込み、その後、第２の仕切り板の通気孔より蒸気発生室へ戻るが、この際、第２の開度調整手段により第２の仕切り板の各通気孔の開度調整を個別又はブロック的に行うことにより、乾燥室の全体において、滞留する熱風量と、第２の仕切り板の通気孔を経て蒸気発生室へ戻る熱風量との調整が行われて、中空木材の外周部の乾燥速度が調整されるので、乾燥室の大きさにかかわらず室全体において、中空部送り孔から中空木材の中空部に流れ込む熱風と、外周送り孔から中空木材の外部へ流れ込む熱風との風量比率が略一定になるという作用を有する。
【００１５】
なお、第１、２の開度調整手段は、手動式でも、制御部及び駆動源を有する自動式でもよい。
【００１６】
また、乾燥室仕切り部材としては、例えば各種の耐熱フィルム、耐熱シート、耐熱板などが採用できる。
【００１７】
本発明の請求項２に記載の中空木材の乾燥装置は、請求項１に記載の中空木材の乾燥装置において、乾燥室の乾燥空間に加湿手段が設けられた構成を有している。
【００１８】
この構成により、加湿手段により、多数本の中空木材が収納された乾燥空間の湿度を上昇させることで、中空木材の外周部の乾燥速度を遅らせるという作用を有する。
【００１９】
なお、加湿手段としては、例えば蒸気を噴霧ノズルから噴霧する噴霧装置などが採用できる。
【００２０】
本発明の請求項３に記載の中空木材の乾燥装置は、請求項１又は２に記載の中空木材の乾燥装置において、乾燥室の乾燥空間に給気ダクト及び排気ダクトを有する熱風強制排気手段を設けた構成を有している。
【００２１】
この構成により、乾燥室の乾燥空間の給気及び排気を行うことで、送り込まれた熱風の一部を熱風強制排気手段により強制排気することにより、乾燥室内の湿度を低下させて、収納された主に中空木材の外周部の乾燥速度を早めるという作用を有する。
【００２２】
なお、熱風強制排気手段には、通常、排気ファンが設けられるが、この排気ファンは排気ダクトに内蔵させてもよいし、排気ダクトに連結される排気流路の中途部に設けてもよい。
【００２３】
そして、例えば給気ダクトを熱風循環路に設け、排気ダクトを乾燥室の下流部に設けるようにすれば、熱風強制排気手段に排気ファンなどを設けることなく、乾燥室の熱風の排気ができる。
【００２４】
また、本発明の請求項４に記載の中空木材の乾燥装置は、請求項１〜３のうち何れか１項に記載の中空木材の乾燥装置において、第１、２の仕切り板に形成された多数個の通気孔が、上下左右一定ピッチで形成され、また第１、２の開度調整手段が、各々近接する４個の通気孔の中心部に設けられる回転軸と、近接する４個の通気孔を同時に開閉可能な４個の開度調整孔が９０°毎に形成された回転板とを有する構造としている。
【００２５】
この構成により、各第１、２の開度調整手段の回転板を所定角度回動させることで、回転板の開度調整孔と第１、２の開度調整手段の通気孔との重なり度合いが調整されて各通気孔の開度調整が行われるので、第１、２の仕切り板の各通気孔がブロック的に開度調整され、かつその構造及び操作が簡易になるという作用を有する。
【００２６】
なお、回転板に形成される開度調整孔及び該開度調整孔により開度調整される通気孔は、それぞれ４個に限らずとも１〜３個又は５個以上でもよい。
【００２７】
また、回転板の形状は、正面視して円形、楕円形、三角形、四角形、多角形などが採用できる。
【００２８】
【実施例】
以下に、本発明の一実施例を図面を参照しながら説明する。
【００２９】
図１及び図２に示すＡは、本発明に係る中空木材の乾燥装置であり、この中空木材の乾燥装置Ａは、横長なケーシング状の装置本体１と、装置本体１の上流部に設けられる熱風整流室２と、装置本体１の中央部に設けられると共に、軸部に中空部３ａを有する多数本の中空木材３が長さ方向を揃えて重ね置きされた乾燥室４と、装置本体１の下流部に設けられて、２連式のヒータ５とその上部に設けられたノズルを有する加湿手段としての蒸気噴霧装置６が配設された蒸気発生室７と、それぞれ熱風整流室２の中央部及び蒸気発生室７の上部を連通して、入側である蒸気発生室７側の端部内及び出側である熱風整流室２側の端部内に出力調整可能な第１、２の熱風ファン１０、１１が各々内蔵された２連式の熱風循環路１２とを備えている。
【００３０】
図３に示すように、熱風整流室２と乾燥室４との間には多数個の通気孔１３ａが形成された第１の仕切り板１３が設けられており、また図４に示すように、乾燥室４と蒸気発生室７との間には、多数個の通気孔１４ａが形成された第２の仕切り板１４が設けられている（図５も参照）。
【００３１】
なお、第１、２の仕切り板１３、１４に形成された多数個の通気孔１３ａ、１４ａは、上下左右一定ピッチで形成されている。
【００３２】
各通気孔１３ａ、１４ａは、比較的構造や操作が簡易な第１又は第２の開度調整手段１５、１６により、ブロック的に開度調整可能となっている。
【００３３】
すなわち、第１、２の開度調整手段１５、１６は、各々近接する４個の通気孔１３ａ、１４ａの中心部に設けられた回転軸１７と、近接する４個の通気孔１３ａ、１４ａを同時に開閉可能な４個の開度調整孔１８ａが９０°毎に形成された回転板１８とを有している。
【００３４】
これらの第１の開度調整手段１５は、例えば乾燥室４にスペーサ１９を介して多数本の中空木材３を収納する際に、装置本体１内に入った作業者が、中空木材３の材質、寸法などに応じて、乾燥室４に収納された全部の中空木材３の中空部３ａに所定量の熱風が均等かつ一定速度で送り込めるように、第１、２の仕切り板１３、１４の上下又は左右の部位にある各回転板１８を個別に所定角度だけ回動させる。
【００３５】
具体的な第１の開度調整手段１５の各通気孔１３ａの開度調整を説明すると、熱風が第１、２の熱風ファン１０、１１により、各熱風循環路１２を通して熱風整流室２の上部から熱風整流室２内に流れ込むので、各回転板１８を、上部配置された各通気孔１３ａの開度が大きく、かつ、下部配置させた各通気孔１３ａの開度が小さくなるように回動させることにより、各通気孔１３ａの開度調整を行う。
【００３６】
第２の開度調整手段１６は、同様に装置本体１内に入った作業者が、中空木材３の材質、寸法などに応じて、乾燥室４に収納された全部の中空木材３の外周部の乾燥速度を中空部３ａの速度より若干遅らせて、中空木材３の良好な乾燥をできるように、各回転板１８を回動させて各通気孔１４ａの開度調整を行う。
【００３７】
図１、６に示すように、各中空木材３の上流側の端面位置に乾燥室仕切り部材の一例である耐熱フィルム２０を設けて、乾燥室４内を整流空間４ａ及び乾燥空間４ｂに区分する。
【００３８】
このとき、耐熱フィルム２０には、整流空間４ａから中空木材３の中空部３ａに熱風を送る多数個の比較的大径な中空部送り孔２０ａと、整流空間４ａから乾燥空間４ｂ内に中空部送り孔２０ａより少量の熱風を送る多数個の比較的小径な外周送り孔２０ｂとが穿設されている。
【００３９】
図７に示すように、耐熱フィルム２０の各中空部送り孔２０ａの形成部は、それぞれ外方から環状のスリーブ２１を、釘２２（ビスなどでもよい）を介して、各中空木材３の上流側の端面にスポット的に密着させて固定されている。これにより、乾燥中の熱風の風圧で、耐熱フィルム２０が、中空木材３の上流側の端面から剥離されるのを防止できる。
【００４０】
なお、中空木材３は、図７に示すような角材でも、図８に示すような円柱でもよい。
【００４１】
また、中空部送り孔２０ａ及び外周送り孔２０ｂの直径や、外周送り孔の形成位置及びその個数は、中空木材の材質や寸法などにより適宜変更される。
【００４２】
図６に示すように、耐熱フィルム２０の上縁部は、装置本体１の上板に取付けられた横長の熱風通過量調整具２３に取付けられている。
【００４３】
同熱風通過量調整具２３は、上端が装置本体１の上板に固着され、７個の大径の固定側通気孔２４ａが形成された固定プレート２４と、固定プレート２４に面接触されて、各固定側通気孔２４ａに対応する大径の７個の摺動側通気孔２５ａが形成された摺動プレート２５とを有している。固定プレート２４の第１の仕切り板１３側の面に、耐熱フィルム２０の上縁部が密着状態で取付けられている。
【００４４】
使用に際しては、摺動プレート２５を固定プレート２４に沿って横方向へ摺動させることで、摺動側通気孔２５ａによる固定側通気孔２４ａの塞ぎ量を変更して、固定側通気孔２４ａの開度調整を行う。
【００４５】
整流空間４ａ及び乾燥空間４ｂの下流部における一側板の中央部付近には、それぞれ一対の温度・湿度センサ２６が配設されている。
【００４６】
乾燥空間４ｂの上流部の上部には、加湿手段の一例である蒸気噴霧装置のノズル２７が設けらている。
【００４７】
さらに、乾燥空間４ｂの下流部の両側板における上端部には、自動開度調整機能を有する給気ダクト２８及び排気ダクト２９を有する熱風強制排気手段３０が設けられている。なお、図示しないが、排気ダクト２９には熱風を強制排気する排気ファンを内蔵している。
【００４８】
本発明の実施例は、上記のように構成されているものであり、本実施例によれば、次のような作用効果が生起される。
【００４９】
すなわち、図１に示すように、ヒータ５により加熱されている蒸気発生室７において、蒸気噴霧装置６から蒸気を発生させ、これを第１の熱風ファン１０により熱風にして一対の熱風循環路１２へそれぞれ吸引し、その後、各熱風循環路１２の下流部に配置された第２の熱風ファン１１により、熱風整流室２の上部へ熱風を送り込む。
【００５０】
次いで、熱風整流室２の内部に溜まった熱風は、第１の開度調整手段１５により開度調整された第１の仕切り板１３の各通気孔１３ａ、及び熱風通過量調整具２３の固定側通気孔２４ａを通過して、乾燥室４の整流空間４ａへと流れ込み、それから耐熱フィルム２０の各外周送り孔２０ｂを経て乾燥空間４ｂへ達した後、第２の開度調整手段１６により開度調整された第２の仕切り板１４の各通気孔１４ａを通って蒸気発生室７へ戻るという循環を繰り返す。
【００５１】
第１の開度調整手段１５を用いた各通気孔１３ａの開度調整は、熱風の流量及び速度が大きい熱風整流室２の上部の開度を小さくする一方、熱風の流量及び速度が小さくなる熱風整流室２の下部の開度を大きくするというように、第１の仕切り板１３の全体において、第１の開度調整手段１５の各回転板１８を個別に回動させて、各通気孔１３ａの開度調整を４個ずつブロック的に行う。
【００５２】
これにより、乾燥室４の大きさにかかわらず乾燥室４の室全体において、中空木材３の中空部３ａへ供給される熱風量及び速度を略一定にでき、よって乾燥中の全ての中空木材３の中空部３ａ側からの乾燥速度を一定にできる。
【００５３】
一方、耐熱フィルム２０の上方において、熱風通過量調整具２３の摺動プレート２５を横方向に摺動させて、大径な固定側通気孔２４ａの開度を調整することができるので、例えば、生木のような場合に、前記固定側通気孔２４ａを大きく開いておけば湿った熱風や生木から蒸発上昇する水分等の循環を促進することができ、木材の種類に応じて乾燥度合いの調整を行えるという効果がある。
【００５４】
また、乾燥空間４ｂに流れ込んだ熱風は、その後、第２の仕切り板１４の通気孔１４ａから蒸気発生室７へ戻るが、この際、第１の開度調整手段１５の場合と同様に、第２の開度調整手段１６を用いた第２の仕切り板の各通気孔１４ａの開度調整を、４個ずつブロック的に行う。
【００５５】
これにより、乾燥室４の全体において、乾燥空間４ｂに滞留する高湿度の熱風量と、第２の仕切り板１４の通気孔１４ａを経て蒸気発生室７へ戻る熱風量との調整が行われ、中空木材３の外周部３ｂの乾燥速度が調整される。
【００５６】
従って、乾燥室４の大きさにかかわらず乾燥室４の室全体において、耐熱フィルム２０の中空部送り孔２０ａから中空木材３の中空部３ａに流れ込む熱風と、外周送り孔２０ｂから中空木材３の周囲へ流れ込む熱風との風量比率を略一定にでき、こうして乾燥中の中空木材３の全部の最適乾燥が現実的に可能となる。
【００５７】
また、乾燥空間４ｂにある蒸気噴霧装置のノズル２７から蒸気を乾燥空間４ｂに噴霧することにより、多数本の中空木材３が収納された乾燥空間４ｂの湿度を上昇させることで、中空木材３の外周部３ｂの乾燥速度を遅らせることができる。
【００５８】
さらに、熱風強制排気手段３０である給気ダクト２８及び排気ダクト２９を用いて、乾燥室４の乾燥空間４ｂの給気及び排気を強制的に行うことにより、乾燥室４に送り込まれた熱風の一部が強制排気されて乾燥室４内の湿度が低下され、収納された中空木材３の主に外周部３ｂの乾燥速度を早めることができる。
【００５９】
まとめると、本実施例の中空木材の乾燥装置Ａは、乾燥室４に配置された一対の温度・湿度センサ２６からの温度信号及び湿度信号を受ける制御部（図外）の制御下において、蒸気発生室７での蒸気発生量の調整と、第１、２の熱風ファン１０、１１による熱風整流室２への熱風供給量の調整とを踏まえた第１の開度調整手段１５による第１の仕切り板１３の各通気孔１３ａの開度調整を行うことにより、乾燥中の中空木材３の全体における中空部３ａの乾燥速度を調整する。
【００６０】
一方、中空木材３の外周部の３ｂの乾燥速度の調整は、同じく制御部（図外）の制御下において、蒸気発生室７での蒸気発生量の調整と、熱風整流室２への熱風供給量の調整とを踏まえた第２の開度調整手段１６による第１の仕切り板１４の各通気孔１４ａの開度調整と、ノズル２７からの乾燥空間４ｂへの蒸気噴霧や、熱風強制排気手段３０による乾燥空間４ｂ内の熱風の強制排気とを行うことにより、乾燥中の中空木材３の全体における外周部３ｂの乾燥速度を調整する。
【００６１】
従って、中空木材の乾燥装置Ａは、例えば多数の実験データに基づいて、装置機器の多様な制御を適正に行うことにより、乾燥中の中空木材３の全体における中空部３ａと外周部３ｂとの乾燥速度を一定にして、最適な乾燥がなされた中空木材３を提供できるものである。
【００６２】
【発明の効果】
本発明によれば、次のような効果が得られる。
【００６３】
すなわち、本発明の請求項１〜４の中空木材の乾燥装置では、熱風整流室と乾燥室とを仕切る第１の仕切り板の各通気孔を、第１の開度調整手段により個別又はブロック的に開度調整するようにしたので、乾燥室の大きさにかかわらず室全体において、中空木材の中空部へ供給される熱風量及び風速を略一定にでき、また乾燥室と蒸気発生室とを仕切る第２の仕切り板の各通気孔を、第２の開度調整手段により個別又はブロック的に開度調整するようにしたので、乾燥室の大きさにかかわらず室全体において、中空部送り孔から中空木材の中空部に流れ込む熱風と、外周送り孔から中空木材の周囲へ流れ込む熱風との風量比率を略一定にできる。これにより、乾燥室に収納された全部の中空木材の最適乾燥の実現が可能となる。
【００６４】
特に、請求項２に記載の中空木材の乾燥装置は、請求項１に記載の効果の他に、乾燥室の乾燥空間に加湿手段が設けられるようにしたので、加湿手段により、多数本の中空木材が収納された乾燥空間の湿度を上昇させることで、中空木材の外周部の乾燥速度を遅らせることができる。
【００６５】
また、請求項３に記載の中空木材の乾燥装置は、請求項１又は２に記載の効果の他に、給気ダクト及び排気ダクトを有する熱風強制排気手段により乾燥室の乾燥空間の給気及び排気を行うようにしたので、乾燥室に送り込まれた熱風の一部が強制排気されて乾燥室内の湿度が低下され、収納された中空木材の主に外周部の乾燥速度を早めることができる。
【００６６】
さらに、請求項４に記載の中空木材の乾燥装置は、請求項１〜３のうち何れかに記載の効果の他に、第１、２の仕切り板に形成された多数個の通気孔が上下左右一定ピッチで、また第１、２の開度調整手段が、各４個の通気孔の中心部に設けられる回転軸と、４個の開度調整孔とが形成された回転板とを有しているので、各第１、２の開度調整手段の回転板を所定角度回動させることで、開度調整孔と通気孔との重なり度合いを調整して各通気孔の開度調整を行うので、第１、２の仕切り板の各通気孔をブロック的に開度調整でき、かつその構造及び操作が簡易にできる。
【図面の簡単な説明】
【図１】本発明の一実施例に係る中空木材の乾燥装置の全体断面図である。
【図２】同側面図である。
【図３】第１の仕切り板を示す要部断面図である。
【図４】第２の仕切り板を示す要部断面図である。
【図５】第１、２の開度調整手段を示す要部拡大側面図である。
【図６】乾燥室仕切り部材を示す要部断面図である。
【図７】乾燥室仕切り部材の要部拡大側面図である。
【図８】他の形態に係る乾燥室仕切り部材の要部拡大側面図である。
【符号の説明】
Ａ  中空木材の乾燥装置
１  装置本体
２  熱風整流室
３  中空木材
３ａ  中空部
４  乾燥室
４ａ  整流空間
４ｂ  乾燥空間
５  ヒータ
６  蒸気噴霧装置
７  蒸気発生室
１０  第１の熱風ファン
１１  第２の熱風ファン
１２  熱風循環路
１３  第１の仕切り板
１３ａ  通気孔
１４  第２の仕切り板
１４ａ  通気孔
１５  第１の開度調整手段
１６  第２の開度調整手段
２０  耐熱フィルム
２０ａ  中空部送り孔
２０ｂ  外周送り孔
【図１】
0003602921.tif 000002
【図２】
0003602921.tif 000003
【図３】
0003602921.tif 000004
【図４】
0003602921.tif 000005
【図５】
0003602921.tif 000006
【図６】
0003602921.tif 000007
【図７】
0003602921.tif 000008
【図８】
0003602921.tif 000009